(57)【要約】【目的】ブラッシング洗浄後のメダルを短時間で有効に乾燥させることのできるメダル洗浄機を提供する。【解決手段】メダル収容ホッパー２と、ホッパー２に接続されたメダル移送レール３と、ホッパー２内のメダルＭをメダル移送レール３へ送出するメダル送出手段４と、メダル移送レール３で移送中のメダルＭを水槽６内でブラッシングする洗浄手段５と、ブラッシング洗浄後のメダルＭを乾燥させる乾燥手段９とを備え、乾燥手段９は、ブラッシング洗浄後のメダルＭが移送される直線状メダル移送レール部分３ａを密閉状に覆うダクト３０と、レール部分３ａの側方に設けられたハロゲンヒータランプと、ダクト３０内のレール部分３ａに対しその長手方向に沿って風を送る送風手段３２とからなる。【選択図】　　　　図１
2004086454.tif 000002
【特許請求の範囲】
【請求項１】
メダルを収容するホッパーと、ホッパーに接続されたメダル移送レールと、ホッパー内のメダルを１個ずつメダル移送レールへ送出するメダル送出手段と、メダル移送レールの一部を洗浄用水槽中に浸漬させて、移送中のメダルをブラッシングする洗浄手段と、ブラッシング洗浄後のメダルを乾燥させる乾燥手段とを備えたメダル洗浄機において、乾燥手段は、ブラッシング洗浄後のメダルが移送される直線状メダル移送レール部分を所要長さに亘って密閉状に覆うダクトと、ダクト内における前記レール部分の側方にその長さ方向に沿って設けられたハロゲンヒータランプと、ダクトの一端側からダクト内の前記レール部分に対しその長手方向に沿って風を送る送風手段とからなるメダル洗浄機。
【請求項２】
乾燥手段のダクトは、前記レール部分が配置されるダクト本体部と、ハロゲンヒータランプが配備され、固定ダクト部に開閉自在に枢着された扉部とからなる請求項１に記載のメダル洗浄機。
【請求項３】
ハロゲンヒータランプからの放射熱を前記レール部分に反射させる反射板を、このランプに隣接して設けてなる請求項１又は２に記載のメダル洗浄機。
【発明の詳細な説明】
【０００１】
【発明の属する技術分野】
本発明は、パチスロ、ゲーム機等のメダル遊技機に使用されるメダルを洗浄するメダル洗浄機に関するものである。
【０００２】
【従来の技術及びその課題】
従来のメダル洗浄機として、特開平１１−４９５３号公報に記載されたものがある。このメダル洗浄機は、メダルを収容するホッパーと、ホッパーに接続されたメダル移送レールと、ホッパー内のメダルを１個ずつメダル移送レールへ送出するメダル送出手段と、メダル移送レールの一部を洗浄用水槽中に浸漬させて、移送中のメダルをブラッシングする洗浄手段と、ブラッシング洗浄後のメダルを乾燥させる乾燥手段とを備え、メダルに付着した汚れ等の異物を有効に除去洗浄するようにしたものである。
【０００３】
この従来のメダル洗浄機で問題となるのは、乾燥手段が、ブラッシング洗浄手段から延出されたメダル移送レールの所要部分に赤外線を投射する普通の赤外線ランプと、このランプの近傍から上記レール部分に対し風を送る送風ファンとからなるもので、露出されたレールの所要部分に赤外線を投射し、風を送るだけであるため、そのレール部分を移送中のメダルを効率良く乾燥させることができなかった。
【０００４】
本発明は、上記の課題に鑑み、ブラッシング洗浄後のメダルを効率良く乾燥させることのできるメダル洗浄機を提供することを目的とする。
【０００５】
【課題を解決するための手段】
請求項１に係る発明は、メダルＭを収容するホッパー２と、ホッパー２に接続されたメダル移送レール３と、ホッパー２内のメダルＭを１個ずつメダル移送レール３へ送出するメダル送出手段４と、メダル移送レール３の一部を洗浄用水槽６中に浸漬させて、移送中のメダルＭをブラッシングする洗浄手段５と、ブラッシング洗浄後のメダルＭを乾燥させる乾燥手段９とを備えたメダル洗浄機において、乾燥手段９は、ブラッシング洗浄後のメダルＭが移送される直線状メダル移送レール部分３ａを所要長さに亘って密閉状に覆うダクト３０と、ダクト３０内における前記レール部分３ａの側方にその長さ方向に沿って設けられたハロゲンヒータランプ３１と、ダクト３０の一端側からダクト３０内の前記レール部分３ａに対しその長手方向に沿って風を送る送風手段３２とからなることを特徴とする。
【０００６】
請求項２は、請求項１に記載のメダル洗浄機において、乾燥手段９のダクト３０は、前記レール部分３ａが配置されるダクト本体部３０ａと、ハロゲンヒータランプ３１が配備され、ダクト本体部３０ａに開閉自在に枢着された扉部３０ｂとからなることを特徴とする。
【０００７】
請求項３は、請求項１又は２に記載のメダル洗浄機において、ハロゲンヒータランプ３１からの放射熱を前記レール部分に反射させる反射板３４を、このランプ３１に隣接して設けてなることを特徴とする。
【０００８】
【発明の実施の形態】
図１は本発明に係るメダル洗浄機の全体を示したもので、この図において、１はメダル貯蔵タンク、２はタンク１から投下されるメダルＭを収容するホッパー、３はメダルＭを常に直立姿勢で移送案内するメダル移送レールで、ホッパー２に接続され且つ水平面に対し垂直な直立面に沿うように延設されている。４は、ホッパー２内のメダルＭを１枚ずつメダル移送レール３へ強制送出するメダル送出手段、５は洗浄手段で、前記直立面に沿って略Ｕ字状に屈曲したメダル移送レール３の一部を洗浄用温水槽６内の洗浄用温水中に浸漬させて、移送中のメダルＭの表裏両面を両側一対の回転ブラシ７，７によりブラッシングするようになっている。８は洗浄を終えた直後のメダルＭから水滴を除去する水滴除去手段、９は水滴除去手段８を通過したメダルＭに残存する水分を乾燥させる乾燥手段である。また、１０は装置基台で、その四隅部にキャスターＫが取り付けてある。
【０００９】
ホッパー２は、図２及び図３に示すように、横断面がＵ字状で上部から底部に亘って傾斜した側壁２ａを有し、この側壁２ａには、メダルＭに付着したり混入した異物を排出させる複数の異物排出孔１１が設けられ、またホッパー２の入口部には、タンク１から投下されるメダルＭの重量がホッパー２底部のメダル送出手段４側に直接かかるのを防止するための仕切り板１２が設けてある。
【００１０】
図２〜図７を参照してメダル送出手段４の構造について説明すると、図２に示すようにホッパー２の底部に一定の傾斜姿勢で固定された背板１３の内面に、図５に示すように円形状開口部１４とこの開口部１４の外周部に沿って上向きに抜け出る弧状のメダル送出路１５とを連通形成した中板１６が添設され、この中板１６の内面には、当該中板１６の円形状開口部１４と合致する円形状開口部１７を形成した内板１８が添設されている。更に、中板１６及び内板１８の両開口部１４，１７に嵌合して背板１３の内面に摺接する状態で所定方向に回転する回転円板１９が設けられ、この回転円板１９は、図２に示すように背板１３の外側に設置されたモーター２０によって駆動される。
【００１１】
また、回転円板１９は、内面中央部にメダル誘導案内用の円錐コーン部１９ａを有し、そしてこの円錐コーン部１９ａ周辺部に、図３及び図７に示すように、ホッパー２内のメダルＭを１枚ずつ導入する複数のメダル導入孔２１が周方向一定ピッチで貫設されていると共に、この回転円板１９の外面周辺部には、各メダル導入孔２１に導入されたメダルＭを回転円板１９の回転に伴って当該導入孔２１の奥部から背板１３の内面に沿って前記メダル送出路１５へ１枚ずつ排出するメダル排出部２２が設けられている。
【００１２】
背板１３は、図２に示すように装置基台１０に固定された台座２３上に約６０の傾斜角度で固定され、また背板１３には、図２及び図４の（Ａ）に示すように、メダルＭがメダル導入孔２１から押し出し排出部２２を経てメダル送出路１５へ排出される間に、メダルＭに付着した異物を外部へ排出除去するための複数の異物排出孔２４が設けられている。中板１６に設けられたメダル送出路１５の入口部１５ａは、図３の（Ａ）及び図５から分かるように、回転円板１９の回転方向に沿った円形状開口部１４の接線上に設けられる。また、回転円板１９の外面周辺部に設けられたメダル排出部２２は、図７の（Ｃ）に示すように、隣合う一方のメダル導入孔２１の奥部と他方のメダル導入孔２１との間に形成された凸曲面状端壁部２２ａを有する。
【００１３】
上記のような構成のメダル送出手段４にあっては、ホッパー２に多量のメダルＭを収容した状態でモーター２０を起動して回転円板１９を図３の矢印方向に低速で回転すると、ホッパー２内のメダルＭは、回転円板１９に近づくにつれて漸次図２に示すように起立状態となり、こうして起立状態となったメダルＭは、回転円板１９の円錐コーン部１９ａにより誘導案内されながら１枚ずつ回転円板１９のメダル導入孔２１に導入される。各メダル導入孔２１に導入されたメダルＭは、その奥部に保持されたまま回転円板１９の回転と共に旋回移動して、メダル送出路１５の入口１５ａを臨む位置にきた時、前記メダル排出部２２によってメダル送出路１５へ１枚ずつ排出され、このメダル送出路１５からメダル移送レール３へ送出されて、図１に示すような数珠つなぎ状態で強制的に移送される。
【００１４】
このメダル送出手段４のメダル送出路１５に接続されたメダル移送レール３の大部分は、９０度に曲成されたアール状レール部材２６と直線状に延びたストレートレール部材２５とを相互に接続して、前記直立面に沿うように上下に屈曲させ、図１に示されるような蛇行状に形成される。メダル送出路１５の出口には、図２及び図３に示すように立上用レール部材２７が配設され、最初のアール状レール部材２６に接続されている。この立上用レール部材２７は、図３の（Ａ）及び（Ｂ）に示すように、メダルＭの両端面部を支持する一対の帯板２７ａ，２７ａと、メダルＭの表裏両面を支持する一対の側板２７ｂ，２７ｂとによって構成され、片方の側板２７ｂには、メダルＭの直径より小さい幅の溝２７ｃが開口されている。この立ち上げ用レール部材２７は、接続部材２８ａ，２８ｂを介してメダル送出手段４のメダル送出路１５に接続される。
【００１５】
アール状レール部材２６は、図３の（Ａ）及び（Ｃ）に示すように、９０度に曲成された一対の帯板２６ａ，２６ａと一対の側板２６ｂ，２６ｂとによって構成され、各側板２６ｂに弧状の窓２６ｃが形成されている。ストレートレール部材２５は、直線状に形成されているだけで、アール状レール部材２６と同様な構成である。
【００１６】
図８〜図１０は、乾燥手段９を示す。この乾燥手段９は、洗浄手段５によってブラッシング洗浄され更に水滴除去手段８によって水滴を除去されたメダルＭがメダル洗浄機の上部側で水平直線状に移送される直線状のメダル移送レール部分３ａ（図１参照）を所要長さに亘って密閉状に覆うダクト３０と、このダクト３０内における直線状メダル移送レール部分３ａの側方にその長さ方向に沿って設けられたハロゲンヒータランプ３１と、ダクト３０の一端側からダクト３０内の直線状メダル移送レール部分３ａに対しその長手方向に沿って風を送るための例えばシロッコファンからなる送風手段３２とによって構成される。
【００１７】
ダクト３０は、図１０から分かるように、前記直線状メダル移送レール部分３ａが挿入配置される断面略Ｌ字状のダクト本体部３０ａと、前記ハロゲンヒータランプ３１が配備されていて、ダクト本体部３０ａにヒンジ部３３によって開閉自在に枢着された断面略逆Ｌ字状の扉部３０ｂとからなるもので、扉部３０ｂには、図１０から分かるようにハロゲンヒータランプ３１からの放射熱を反射させて前記直線状メダル移送レール部分３ａの一側面に有効に放射させるための反射板３４が、ブラケット２９によってハロゲンヒータランプ３１に隣接する位置に設置されている。扉部３０ｂは、図８〜図１０に概略示すように、扉閉鎖時に、その遊端に設けられた係止部ｂがダクト本体部３０ａの先端部に設けられた被係止部ａに係止されて、閉鎖位置にロックされるようになっている。
【００１８】
ハロゲンヒータランプ３１は、よう素、臭素などのハロゲン族元素又はそれらの化合物を封入した管形棒状の赤外線電球からなるもので、タングステンの蒸発によるフィラメントの消耗と、ガラス管内面の黒化を防止する作用があって、普通の赤外線ランプよりも使用寿命が数倍も長く、長期間に亘り有効に使用できると共に、直線状メダル移送レール部分３ａの長手方向全域を有効に加熱できて、この直線状メダル移送レール部分３ａを移送中のメダルＭに付着された水分を有効に乾燥させることができる。
【００１９】
また、この乾燥手段９では、直線状メダル移送レール部分３ａが所要長さに亘りダクト３０によって密閉状に覆われ、この密閉状ダクト３０内にハロゲンヒータランプ３１が直線状メダル移送レール部分３ａの側方にその長さ方向に沿って配設されていると共に、ダクト３０の一端側からダクト３０内の直線状メダル移送レール部分３ａに対しその長手方向に沿って風を送る送風手段３２が設けられているから、この直線状メダル移送レール部分３ａを移送中のメダルＭを短時間で効率良く乾燥させることができる。また、このハロゲンヒータランプ３１に隣接して反射板３４が設けられているため、ハロゲンヒータランプ３１からの放射熱を直線状メダル移送レール部分３ａの一側面に有効に放射させることができて、この直線状メダル移送レール部分３ａを移送中のメダルＭを一層短時間で一層効率良く乾燥させることができる。
【００２０】
またダクト３０は、直線状メダル移送レール部分３ａが配置されるダクト本体部３０ａと、ハロゲンヒータランプ３１が配備されて、ダクト本体部３０ａにヒンジ部３３により開閉自在に枢着された扉部３０ｂとから構成されているため、ハロゲンヒータランプ３１の点検やそれが故障した時のランプ交換を容易に行うことができる。また、この実施形態では、送風手段３２は、ダクト３０の一端側に設けて、直線状メダル移送レール部分３ａに沿って移動してくるメダルＭを迎える方向に風を送るようにしているが、この位置とは反対側の位置、即ちダクト３０の他端側に設けて、直線状メダル移送レール部分３ａを移動するメダルＭを追っ掛ける方向に送風するようにしてもよい。
【００２１】
上記のように乾燥手段９により乾燥されて水分を除去されたメダルＭは、図１に示すように最終ストレートレール部材２５を通って、その先端から排出される。尚、メダル貯蔵タンク１には、図１に示すようにオーバーフロー用の開閉式排出口Ｈが設けてあって、メダルＭがタンク１に一杯になれば、下方のボックス（図示せず）に排出されるようになっている。
尚、図１、図８〜図１０において、３５は電源スイッチ３６その他を設けた操作ボックスである。
【００２２】
【発明の効果】
請求項１に係るメダル洗浄機によれば、直線状メダル移送レール部分が所要長さに亘りダクトによって密閉状に覆われ、この密閉状ダクト内にハロゲンヒータランプが前記レール部分の側方にその長さ方向に沿って配設されていると共に、ダクトの一端側からダクト内の前記レール部分に対しその長手方向に沿って風を送る送風手段が設けられているから、前記レール部分を移送中のメダルを短時間で効率良く乾燥させることができる。また、ハロゲンヒータランプの使用によって、使用寿命が普通の赤外線ランプよりも長く、長期間に亘り有効に使用することができる。
【００２３】
請求項２に記載のように、乾燥手段のダクトは、前記レール部分が配置されるダクト本体部と、ハロゲンヒータランプが配備され、固定ダクト部に開閉自在に枢着された扉部とからなるため、ハロゲンヒータランプの点検やそれが故障した時のランプ交換を容易に行うことができる。
【００２４】
請求項３のように、ハロゲンヒータランプからの放射熱を前記直線状メダル移送レール部分に反射させる反射板をハロゲンヒータランプに隣接して設けているから、ハロゲンヒータランプからの放射熱を前記直線状メダル移送レール部分に有効に放射できて、移送中のメダルＭを一層短時間でより効率良く乾燥させることができる。
【図面の簡単な説明】
【図１】本発明に係るメダル洗浄機の全体を示す斜視図である。
【図２】同メダル洗浄機のホッパー及びメダル送出手段を示す側面断面図である。
【図３】（Ａ）は同メダル洗浄機のホッパー及びメダル送出手段を示す正面断面図、（Ｂ）は（Ａ）のＸ−Ｘ線断面図、（Ｃ）は（Ａ）のＹ−Ｙ線断面図である。
【図４】（Ａ）はメダル送出手段の背板を示す正面図、（Ｂ）は同背板の側面図である。
【図５】（Ａ）はメダル送出手段の中板を示す正面図、（Ｂ）は同中板の側面図である。
【図６】（Ａ）はメダル送出手段の内板を示す正面図、（Ｂ）は同内板の側面図である。
【図７】（Ａ）はメダル送出手段の回転円板を示す正面図、（Ｂ）は同回転円板の側面図、（Ｃ）は同回転円板の背面図である。
【図８】乾燥手段を示す外観斜視図で、ダクトの扉部が閉鎖位置にある状態を示す。
【図９】乾燥手段を示す外観斜視図で、ダクトの扉部が開放位置にある状態を示す。
【図１０】乾燥手段のダクトの横断面図である。
【符号の説明】
Ｍ　　　　　メダル
１　　　　　メダル貯蔵タンク
２　　　　　ホッパー
３　　　　　メダル移送レール
４　　　　　メダル送出手段
５　　　　　洗浄手段
６　　　　　洗浄用温水槽
７　　　　　回転ブラシ
８　　　　　水滴除去手段
９　　　　　乾燥手段
３０　　　　ダクト
３０ａ　　　ダクト本体部
３０ｂ　　　扉部
３１　　　　ハロゲンヒータランプ
３２　　　　送る送風手段
３４　　　　反射板
【図１】
2004086454.tif 000003
【図２】
2004086454.tif 000004
【図３】
2004086454.tif 000005
【図４】
2004086454.tif 000006
【図５】
2004086454.tif 000007
【図６】
2004086454.tif 000008
【図７】
2004086454.tif 000009
【図８】
2004086454.tif 000010
【図９】
2004086454.tif 000011
【図１０】
2004086454.tif 000012